(57)【要約】【課題】投影等により表示中の画像を印刷機器等の外部機器に出力する機能を有する表示装置において機器構成の複雑化を抑制する。【解決手段】画像データに対し画像処理を行う画像処理手段と、画像処理手段の出力する画像データに基づく画像を表示する表示手段と、画像処理手段の出力する画像データを表示手段とは異なる画像装置へ出力する出力手段と、を備え、画像処理手段は、画像データに対し、指示に応じて表示手段に適合する色空間の画像データへ変換する第１の色空間変換処理及び画像装置に適合する色空間の画像データへ変換する第２の色空間変換処理のいずれかの色空間変換処理を行い、出力手段により画像装置へ画像データを出力する場合、画像処理手段は、第２の色空間変換処理を行い、出力手段は、第２の色空間変換処理が行われた画像データを画像処理手段から取得して画像装置へ出力する表示装置。【選択図】図１
2014142410.tif 000002
【特許請求の範囲】
【請求項１】
入力される画像データに対し画像処理を行う画像処理手段と、
前記画像処理手段の出力する画像データに基づく画像を表示する表示手段と、
前記画像処理手段の出力する画像データを前記表示手段とは異なる画像装置へ出力する出力手段と、
を備えた表示装置であって、
前記画像処理手段は、画像データに対し、指示に応じて前記表示手段に適合する色空間の画像データへ変換する第１の色空間変換処理及び前記画像装置に適合する色空間の画像データへ変換する第２の色空間変換処理のいずれかの色空間変換処理を行うものであり、
前記出力手段により前記画像装置へ画像データを出力する場合、
前記画像処理手段は、前記第２の色空間変換処理を行い、
前記出力手段は、前記第２の色空間変換処理が行われた画像データを前記画像処理手段から取得して前記画像装置へ出力する表示装置。
【請求項２】
前記画像処理手段は、画像データに対し、前記表示手段による表示画像の画質を補正する画質補正処理を更に行うものであり、
前記出力手段により前記画像装置へ画像データを出力する場合、
前記出力手段は、前記画質補正処理が行われておらずかつ前記第２の色空間変換処理が行われた画像データを前記画像処理手段から取得して前記画像装置へ出力する請求項１に記載の表示装置。
【請求項３】
前記画像処理手段は、前記色空間変換処理が行われた後の画像データに対し前記画質補正処理を行う請求項２に記載の表示装置。
【請求項４】
前記色空間変換処理が行われた画像データを前記画像処理手段から取得して記憶する第１の記憶手段を更に備え、
前記出力手段は、前記第１の記憶手段から画像データを取得して前記画像装置へ出力する請求項１〜３のいずれか１項に記載の表示装置。
【請求項５】
前記色空間変換処理が行われた画像データを前記画像処理手段から取得して記憶する第１の記憶手段を更に備え、
前記出力手段は、前記第１の記憶手段から画像データを取得して前記画像装置へ出力するものであり、
前記画像処理手段は、前記第１の記憶手段から取得した画像データに対して前記画質補正処理を行い、
前記出力手段により前記画像装置へ画像データを出力する場合、
前記画像処理手段は、前記画質補正処理を停止しない請求項２又は３に記載の表示装置。
【請求項６】
前記画質補正処理が行われた画像データを前記画像処理手段から取得して記憶する第２の記憶手段を更に備え、
前記出力手段は、前記第２の記憶手段から画像データを取得して前記画像装置へ出力するものであり、
前記出力手段により前記画像装置へ画像データを出力する場合、
前記画像処理手段は、前記画質補正処理を停止する請求項２又は３に記載の表示装置。
【請求項７】
前記画像処理手段は、画像データに対し、拡大、縮小、合成の少なくともいずれかの処理を含むレイアウト処理を更に行うものであり、
前記出力手段により前記画像装置へ画像データを出力する場合、
前記出力手段は、前記レイアウト処理が行われておらずかつ第２の色空間変換処理が行われた画像データを前記画像処理手段から取得して前記画像装置へ出力する請求項１〜６のいずれか１項に記載の表示装置。
【請求項８】
前記画像処理手段は、前記レイアウト処理が行われた後の画像データに対し前記色空間変換処理を行うものであり、
前記出力手段により前記画像装置へ画像データを出力する場合、
前記画像処理手段は、前記レイアウト処理を停止する請求項７に記載の表示装置。
【請求項９】
前記レイアウト処理は、ＧＵＩ（Graphical User Interface）を構成する画像を合成する処理、ＯＳＤ（On Screen Display）を構成する画像を合成する処理、ＰｉｎＰ（Picture in Picture）のための画像を合成する処理、及びＰｂｙＰ（Picture by Picture）の
ための画像を合成する処理の少なくともいずれかを含む請求項７又は８に記載の表示装置。
【請求項１０】
前記出力手段により前記画像装置へ画像データを出力しない通常時において、
前記画像処理手段は、前記第１の色空間変換処理を行い、
前記表示手段は、前記第１の色空間変換処理が行われた画像データを前記画像処理手段から取得して表示し、
前記出力手段により前記画像装置へ画像データを出力する場合、
前記表示手段は、通常時において前記画像処理手段から取得した前記第１の色空間変換処理が行われた画像データを用いて表示を行う請求項１〜９のいずれか１項に記載の表示装置。
【請求項１１】
前記出力手段により前記画像装置へ画像データを出力しない通常時において、
前記画像処理手段は、前記第１の色空間変換処理及び前記画質補正処理を行い、
前記表示手段は、前記第１の色空間変換処理及び前記画質補正処理が行われた画像データを前記画像処理手段から取得して表示し、
前記出力手段により前記画像装置へ画像データを出力する場合、
前記表示手段は、通常時において前記画像処理手段から取得した前記第１の色空間変換処理及び前記画質補正処理が行われた画像データを用いて表示を行う請求項２、３、５、６のいずれか１項に記載の表示装置。
【請求項１２】
前記出力手段により前記画像装置へ画像データを出力しない通常時において、
前記画像処理手段は、前記第１の色空間変換処理及び前記レイアウト処理を行い、
前記表示手段は、前記第１の色空間変換処理及び前記レイアウト処理が行われた画像データを前記画像処理手段から取得して表示し、
前記出力手段により前記画像装置へ画像データを出力する場合、
前記表示手段は、通常時において前記画像処理手段から取得した前記第１の色空間変換処理及び前記レイアウト処理が行われた画像データを用いて表示を行う請求項７〜９のいずれか１項に記載の表示装置。
【請求項１３】
前記表示装置へ出力するための画像データを前記画像処理手段から取得して記憶する第３の記憶手段を更に備え、
前記表示手段は、前記第３の記憶手段から画像データを取得して表示するものであり、
前記第３の記憶手段は、前記通常時において、記憶する画像データをフレーム毎に更新するものであり、
前記出力手段により前記画像装置へ画像データを出力する場合、
前記第３の記憶手段は、画像データの更新を停止し、
前記表示手段は、通常時に記憶した画像データを前記第３の記憶手段から取得して表示する請求項１０〜１２のいずれか１項に記載の表示装置。
【請求項１４】
前記出力手段により前記画像装置へ画像データを出力する場合、
前記表示手段は、所定の固定パターンの画像を表示する請求項１〜９のいずれか１項に記載の表示装置。
【請求項１５】
前記表示装置へ出力するための画像データを前記画像処理手段から取得して記憶する第３の記憶手段を更に備え、
前記表示手段は、前記第３の記憶手段から画像データを取得して表示するものであり、
前記第３の記憶手段は、前記出力手段により前記画像装置へ画像データを出力しない通常時及び前記出力手段により前記画像装置へ画像データを出力する場合のいずれにおいても、記憶する画像データをフレーム毎に更新する請求項１〜９のいずれか１項に記載の表示装置。
【請求項１６】
前記表示装置は、前記画像装置を備える請求項１〜１５のいずれか１項に記載の表示装置。
【請求項１７】
前記画像装置は、前記表示装置の外部の装置である請求項１〜１５のいずれか１項に記載の表示装置。
【請求項１８】
前記画像装置は、印刷機である請求項１〜１７のいずれか１項に記載の表示装置。
【請求項１９】
前記表示手段は、画像データに基づく画像を投影面に投影するプロジェクタである請求項１〜１８のいずれか１項に記載の表示装置。
【請求項２０】
前記表示手段は、画像データに基づく画像を投影面に投影するプロジェクタであり、
前記画質補正処理は、プロジェクタと投影面との位置関係に起因する投影画像の歪みを補正するための形状変換処理、投影画像を左右反転させる処理、投影画像を上下反転させる処理、階調補正処理、プロジェクタを構成する表示素子に起因する応答特性を向上させるためのオーバードライブ処理、及びプロジェクタを構成する表示素子に起因する色むらを補正する処理の少なくともいずれかを含む請求項２、３、５、６、１１のいずれか１項に記載の表示装置。
【請求項２１】
前記表示手段は、画像データに基づく画像を投影面に投影するプロジェクタであり、
前記画質補正処理は、自機による投影画像と他のプロジェクタによる投影画像とを投影面において一部を重畳させることにより繋ぎ合わせて合成画像を投影するマルチ投影を行う場合に、合成画像における重畳領域の輝度と非重畳領域の輝度との差異を低減するために、自機による投影画像における重畳領域の輝度を非重畳領域の輝度より低くするエッジブレンド処理を含む請求項２，３，５，６，１１のいずれか１項に記載の表示装置。
【請求項２２】
前記表示手段は、画像データに基づく画像を投影面に投影するプロジェクタであり、
前記画質補正処理は、自機による投影画像と他のプロジェクタによる投影画像とを投影面において一部を重畳させることにより繋ぎ合わせて合成画像を投影するマルチ投影を行う場合に、合成画像における重畳領域の輝度と非重畳領域の輝度との差異を低減するために、自機による投影画像における重畳領域の輝度を非重畳領域の輝度より低くするエッジブレンド処理を含む請求項１１に記載の表示装置を複数有する投影システムであって、
前記出力手段により前記画像装置へ画像データを出力する場合、各プロジェクタは、通常時において前記画像処理手段から取得した前記第１の色空間変換処理及び前記画質補正処理が行われた画像データであって同一フレームの画像データを用いて表示を行う投影シ
ステム。
【請求項２３】
入力される画像データに対し画像処理を行う画像処理工程と、
前記画像処理工程の出力する画像データに基づく画像を表示手段に表示させる表示工程と、
前記画像処理工程の出力する画像データを前記表示手段とは異なる画像装置へ出力する出力工程と、
を有する表示装置の制御方法であって、
前記画像処理工程では、画像データに対し、指示に応じて前記表示手段に適合する色空間の画像データへ変換する第１の色空間変換処理及び前記画像装置に適合する色空間の画像データへ変換する第２の色空間変換処理のいずれかの色空間変換処理を行うものであり、
前記出力工程において前記画像装置へ画像データを出力する場合、
前記画像処理工程では、前記第２の色空間変換処理を行い、
前記出力工程では、前記画像処理工程において前記第２の色空間変換処理が行われた画像データを取得して前記画像装置へ出力する表示装置の制御方法。
【発明の詳細な説明】
【技術分野】
【０００１】
本発明は、投影装置、及び投影システムに関し、特に投影画像を印刷する機能を有する投影装置、及び投影システムに関するものである。
【背景技術】
【０００２】
近年、プロジェクタで投影中の画像を印刷する要求が高まっている。これは、入力画像を印刷するのではなく、投影装置に例えば２つの画像が入力され、これらをピクチャー・イン・ピクチャー（ＰｉｎＰ）やピクチャー・バイ・ピクチャー（ＰｂｙＰ）の状態で投影し、投影画像をそのまま印刷装置に送信して印刷するものである。
【０００３】
このような要求を満たすため、特許文献１に示されるような、印刷機能付き投影装置が提案されている。この発明は、外部機器から入力される画像データを印刷機能付き投影装置で投影し、投影中の画像を印刷するものである。
【先行技術文献】
【特許文献】
【０００４】
【特許文献１】特開２００９−６３８５１号公報
【発明の概要】
【発明が解決しようとする課題】
【０００５】
しかしながら、特許文献１に示される従来例では、入力された画像データを投影用画像データに変換する手段と、入力された画像データを印刷用画像データに変換する手段と、の双方を具備するため、機器の構成が複雑になるという課題があった。
【０００６】
本発明はこのような課題に鑑みてなされたものであり、投影等により表示中の画像を印刷機器等の外部機器に出力する機能を有する表示装置において機器構成の複雑化を抑制することを可能にする技術を提供することを目的とする。
【課題を解決するための手段】
【０００７】
本発明は、入力される画像データに対し画像処理を行う画像処理手段と、
前記画像処理手段の出力する画像データに基づく画像を表示する表示手段と、
前記画像処理手段の出力する画像データを前記表示手段とは異なる画像装置へ出力する出力手段と、
を備えた表示装置であって、
前記画像処理手段は、画像データに対し、指示に応じて前記表示手段に適合する色空間の画像データへ変換する第１の色空間変換処理及び前記画像装置に適合する色空間の画像データへ変換する第２の色空間変換処理のいずれかの色空間変換処理を行うものであり、
前記出力手段により前記画像装置へ画像データを出力する場合、
前記画像処理手段は、前記第２の色空間変換処理を行い、
前記出力手段は、前記第２の色空間変換処理が行われた画像データを前記画像処理手段から取得して前記画像装置へ出力する表示装置である。
【０００８】
本発明は、入力される画像データに対し画像処理を行う画像処理工程と、
前記画像処理工程の出力する画像データに基づく画像を表示手段に表示させる表示工程と、
前記画像処理工程の出力する画像データを前記表示手段とは異なる画像装置へ出力する出力工程と、
を有する表示装置の制御方法であって、
前記画像処理工程では、画像データに対し、指示に応じて前記表示手段に適合する色空間の画像データへ変換する第１の色空間変換処理及び前記画像装置に適合する色空間の画像データへ変換する第２の色空間変換処理のいずれかの色空間変換処理を行うものであり、
前記出力工程において前記画像装置へ画像データを出力する場合、
前記画像処理工程では、前記第２の色空間変換処理を行い、
前記出力工程では、前記画像処理工程において前記第２の色空間変換処理が行われた画像データを取得して前記画像装置へ出力する表示装置の制御方法である。
【発明の効果】
【０００９】
本発明によれば、投影等により表示中の画像を印刷機器等の外部機器に出力する機能を有する表示装置において機器構成の複雑化を抑制することができる。
【図面の簡単な説明】
【００１０】
【図１】本発明における投影装置の一例を示す構成図
【図２】本発明における投影システムの適用例を示す構成図
【図３】実施例１における画像処理部の一例を示す構成図
【図４】実施例１における動作の一例を表すフローチャート
【図５】複数の入力画像、ＰｉｎＰ、ＰｂｙＰ、入力画像とメニューの重畳の一例
【図６】実施例２における画像処理部の一例を示す構成図
【図７】実施例２における動作の一例を表すフローチャート
【図８】実施例３における画像処理部の一例を示す構成図
【図９】実施例３における動作の一例を表すフローチャート
【図１０】実施例４における画像処理部の一例を示す構成図
【図１１】実施例４における動作の一例を表すフローチャート
【図１２】マルチ投影、エッジブレンド動作、台形補正前後の画像の一例を表す図
【発明を実施するための形態】
【００１１】
以下に添付図面を参照しながら、本発明の好適な実施例について詳細に説明する。
（実施例１）
本実施例における投影装置１０の構成を図１に表す。本実施例では、投影装置１０には２系統の画像信号が入力可能であるとする。
制御部１０１は各部の動作を制御し、例えばマイコン、ＣＰＵとメモリ等からなる。
画像処理部１０２では入力画像信号に対し、後述の液晶表示素子１０６での表示に適するように信号処理を施す。
【００１２】
パルス生成部１０３では入力画像信号に重畳された不図示の同期信号から、液晶表示素子１０６を駆動する駆動パルス信号を生成する。
通信部１０４では、印刷装置、他の投影装置、分配器等の外部機器との通信データを送受信する。なお、通信は有線、無線何れでもよい。
【００１３】
傾きセンサ１０５では投影装置１０の重力方向からの変位を検出して制御部１０１に送る。
液晶表示素子１０６は画像信号に基づく画像を形成する１枚あるいは複数枚の液晶パネルで構成される。
光源１０７は、液晶表示素子１０６に光を供給する。
【００１４】
照明光学系１０８は、光源１０７から発せられた光を平行化して光束として出力する。投影光学系１０９は、光源１０７から発せられた光を液晶表示素子１０６に供給すること
により得られた光学像を投影画像としてスクリーンに投影する。
【００１５】
図２に、図１の投影装置を複数有する投影システムによりマルチ投影を行う際の本実施例の適用例を示す。マルチ投影とは複数の投影装置のそれぞれにより投影される分割画像（部分画像）をスクリーン（投影面）上でつなぎ合わせる（統合、合成する）ことで１つの投影画像（合成画像）を投影する方式である。マルチ投影システムを構成する投影装置の数は２台に限らない。図２では自機の投影画像と自機に隣接する他のプロジェクタによる投影画像との一部で重畳するように投影する例を示しているが、重畳領域が設定されないマルチ投影方式であっても良い。
【００１６】
図１の構成を有する２台の投影装置１０ａ，１０ｂは、投影システムを構成している。パーソナルコンピュータ（ＰＣ）、ブルーレイディスクプレイヤー、テレビチューナー等の信号源２０からの画像信号は分配器３０で二つに分割され、それぞれ投影装置１０ａ，１０ｂに入力される。投影装置１０ａ，１０ｂはそれぞれ受け取った画像信号に基づく画像をスクリーン４０に投影する。
【００１７】
続いて、図３に画像処理部１０２の内部構成を示す。
２系統の入力画像を受けたスケーリング部２０１では、フレームメモリ２１１を用いて各入力画像に対して独立に拡大／縮小処理を施す。
メニュー作成部２０２では、ＧＵＩ（Graphical User Interface）やＯＳＤ（On Screen Display）を構成するメニュー等の画像を作成する。
【００１８】
メニュー作成部２０２で作成されたＧＵＩ部品の画像、スケーリング部２０１で拡大／縮小処理された入力画像は、画面合成部２０３に送られ、ＰｉｎＰやＰｂｙＰの画像の生成やＧＵＩやＯＳＤの合成が行われる。これら拡大、縮小、合成の処理をレイアウト処理と称する。
【００１９】
図５（ａ）に示す２系統の画像信号がスケーリング部２０１に入力されたとき、スケーリング部２０１での拡大／縮小処理、及び画面合成部２０３での合成処理が行われる。これにより、図５（ｂ）に示すＰｉｎＰ（Picture in Picture）画像や図５（ｃ）に示すＰｂｙＰ（Picture by Picture）画像が得られる。
【００２０】
また、画面合成部２０３で、スケーリング部２０１からの画像信号とメニュー作成部２０２からのＧＵＩが合成されたときの画像の一例を図５（ｄ）に示す。図５（ｄ）において、メニュー５０１がＧＵＩであり、入力画像信号に基づく画像である風景画像と合成されている。
【００２１】
色補正部２０４では、画面合成部２０３の出力信号の色補正を行う。例えば、印刷時には色空間をＣＭＹＫに変換して補正し、投影時には色空間を例えばｓＲＧＢやＡｄｏｂｅＲＧＢに変換して補正する。印刷時は、本発明において画像装置である印刷機に画像データを出力する場合に相当する。投影時は、本発明において表示手段であるプロジェクタに画像データを出力し、印刷機に画像データを出力しない通常時に相当する。すなわち、色補正部２０４は、入力される画像データに対し、指示に応じて第１の色空間変換処理及び第２の色空間変換処理のいずれかの色空間変換処理を行う。第１の色空間変換処理は、プロジェクタを構成する液晶表示素子１０６に適合する色空間の画像データに変換する処理である。第２の色空間変換処理は、画像データの出力先の画像装置である印刷機に適合する色空間の画像データに変換する処理である。
【００２２】
エッジブレンド部２０５では、色補正部２０４からの信号にエッジブレンド処理を施す。エッジブレンド部２０５は図２に示すように、複数台の投影装置によるマルチ投影が行
われている場合に動作する。マルチ投影時の投影画像の一例を図１２（ａ）に示す。領域１２０１は投影装置１０ａが投影している領域、領域１２０２は投影装置１０ｂが投影している領域である。投影装置１０ａ、１０ｂが投影している領域を個別に表した図を図１２（ｂ）に示す。ここで、領域１２０３，１２０４は投影装置１０ａ、１０ｂ双方が投影している重なり領域（重畳領域）である。領域１２０３，１２０４は投影装置１０ａ、１０ｂ双方が投影しているため、このまま重ね合わせると他の領域より輝度が上がってしまう。このような重畳領域と非重畳領域の輝度の差異が生じることを回避するためにエッジブレンド部２０５では、領域１２０３，１２０４の輝度を落としている。図１２（ｂ）では画像端に近付くにつれて輝度が低減するようなエッジブレンド処理を行う例を示しているが、重畳領域における輝度と非重畳領域における輝度との段差が解消できればエッジブレンド処理方法はこの例に限らない。
【００２３】
台形補正部２０６では、投影装置１０の傾きに起因する投影画像の歪みを補正する。具体的には、傾きセンサ１０５で検出した投影装置１０の重力方向からの変位に応じて、画像の形状変換を行う。台形補正部２０６は、プロジェクタと投影面との位置関係に起因する投影画像の歪みを補正するための画質補正処理の一つである。
【００２４】
このとき、台形補正部２０６で画像データに対し形状変換処理をし、メモリバス２１４を介して接続されたフレームメモリ２１２に形状変換後の画像のデータ書き込む。すなわち、本実施例のフレームメモリ２１２は、本発明において画質補正処理が行われた画像データを記憶する第２の記憶手段である。画像データの書き込みが完了したら、台形補正部２０６はメモリバス２１４を介してフレームメモリ２１２から画像データを読み出し、台形補正が施された画像データを出力する。
【００２５】
台形補正部２０６に図１２（ｃ）に示す画像が入力された場合、台形補正部２０６からは、図１２（ｄ）に示すような投影面での歪みを打ち消すように信号処理で歪ませた画像が出力される。図１２（ｄ）の台形補正は一例であって、傾きセンサ１０５により検出された傾きに応じて台形補正の態様は異なる。
【００２６】
台形補正部２０６の出力信号は、ガンマ補正部２０７で液晶表示素子１０６の電圧―透過率（もしくは反射率）特性に応じた階調補正処理を施される。
ガンマ補正部２０７の出力信号に対して、色むら補正部２０８で液晶表示素子１０６に起因する色むらを補正する。
色むら補正部２０８の出力信号は、オーバードライブ部２０９で液晶表示素子１０６の応答特性を向上させるためのオーバードライブ処理を受ける。
【００２７】
オーバードライブ部２０９では、フレームメモリ２１３に画像信号を格納し、前フレームの輝度値に対して現フレームの輝度が立ち上がるか立ち下がるかを判定する。判定結果に応じて、液晶の駆動電圧を立ち上がり時には高く、立ち下がり時には低くなるよう制御する。これにより、液晶表示素子１０６の応答特性が向上し、動画表示時特有のちらつきを抑えることができる。フレームメモリ２１３は液晶表示素子へ入力する画像データを記憶するものであり、本発明の第３の記憶手段である。
【００２８】
なお、エッジブレンド部２０５、台形補正部２０６、ガンマ補正部２０７、色むら補正部２０８、オーバードライブ部２０９は投影用補正処理部２１０を構成している。投影用補正処理部２１０は、プロジェクタによる表示画像の画質を補正する画質補正処理を行うものであり、液晶表示素子１０６固有の特性による画質劣化を補正するものである。投影用補正処理後は他の処理を行わず液晶表示素子１０６に入力することが望ましいので、投影用補正処理部２１０は画像処理部１０２の後半部に配置されている。
【００２９】
液晶表示素子１０６では、パルス生成部１０３からの駆動パルスにより、画像処理部１０２の出力信号に基づく画像を表示する。
また、投影用補正処理部２１０では、例えば台形補正部２０６において、投影装置１０の設置状態（天吊り、平置き）に応じて画像を左右反転、上下反転させる反転処理を施してもよい。
【００３０】
続いて、図４に示すフローチャートを用いて本実施例の投影装置の動作について説明する。
投影装置の動作が開始すると（Ｓ４０１）、画像処理部１０２に画像信号が入力される（Ｓ４０２）。制御部１０１は、Ｓ４０３で画像処理部１０２、パルス生成部１０３を駆動する。これにより、画像が投影される（Ｓ４０４）。
【００３１】
Ｓ４０５で画像処理部１０２は制御部１０１からメニュー（ＧＵＩ）表示指示があったか否か判別し、指示がない場合は後述のＳ４１９に移行する。指示がある場合、Ｓ４０６で画像処理部１０２はメニュー作成部２０２を駆動して、例えば図５（ｄ）のようなメニュー表示のためのＧＵＩを生成させることにより、図５（ｄ）のようなメニュー表示が行われる。
【００３２】
メニュー表示が行われている状態で、Ｓ４０７で画像処理部１０２は投影画像を印刷する指示があるか否か判別し、指示がない場合はＳ４２０に移行する。Ｓ４２０で画像処理部１０２はメニュー消去の指示があるか否か判別し、指示があればＳ４２１でメニューを消去する。すなわち画像処理部１０２はメニュー作成部２０２にメニュー画像の出力を停止させる。メニュー消去の指示がなければ、画像処理部１０２はＳ４０６に戻りメニュー表示を継続する。
【００３３】
Ｓ４０７で印刷指示ありと判別した場合、画像処理部１０２はＳ４０８でメニュー作成部２０２からのメニューを消去する。これにより、メニューが合成されていない画像が印刷画像となる。
続いて画像処理部１０２はＳ４０９でフレームメモリ２１３への書き込み動作を停止する。これにより、フレームメモリ２１３に格納されていた画像がフリーズした状態で投影される。画像の投影が継続されるので、会議、プレゼンテーション等で投影装置が用いられている場合に、これらを中断せずに済む。
【００３４】
ところで、液晶表示素子１０６の種類によっては、交流駆動が必要である。交流駆動とは、液晶にかける電界の方向を交互に入れ替えて表示させる方法である。液晶表示素子は、液晶にかける電圧の方向が正方向（正極性）でも逆方向（負極性）でも画像を生成する必要がある。従って正方向用の画像と、逆方向用の画像を１枚ずつ液晶表示素子に送る必要があるので、画像処理部１０２では、画像信号のフレームの数を倍にする倍速変換処理を行う。
【００３５】
交流駆動時は、画像処理部１０２はＳ４０９において正極性と負極性の２フレーム分の画像をフレームメモリ２１３に格納する。また、フリーズ画像投影時は画像処理部１０２はフレームメモリ２１３から正極性と負極性の２フレーム分の画像を交互に読み出す。
【００３６】
なお、倍速変換処理は台形補正部２０６で行うのが一般的である。理由はフレームメモリ２１２を有していることと、投影用補正処理部２１０の台形補正部２０６以降の処理を正極性と負極性の２フレーム分に対して施せるからである。
【００３７】
次に、画像処理部１０２はＳ４１０で投影用補正処理部２１０の動作を停止する。投影用補正処理部２１０の中の台形補正部２０６の動作をさせたまま画像を印刷すると、図１
２（ｄ）のような歪んだ画像が印刷されてしまうので、画像処理部１０２は台形補正部２０６の動作を停止する。
【００３８】
同様に、マルチ投影時にエッジブレンド部２０５を動作させたまま印刷すると、図１２（ｂ）のような端部の輝度が低下した画像が印刷されてしまうので、エッジブレンド部２０５の動作を停止する。
マルチ投影時にＳ４０９でのフレームメモリ２１３の書き込みを停止する際は、投影装置１０ａ、１０ｂ間の同期を取って、同一フレームの画像でフリーズさせる。
【００３９】
ガンマ補正部２０７を動作させたまま印刷すると、液晶表示素子１０６用に階調が補正され、印刷には不適切な階調となるので、画像処理部１０２はガンマ補正部２０７の動作を停止する。
色むら補正部２０８を動作させたまま印刷すると、紙の上では逆に色むらが発生するので、画像処理部１０２は色むら補正部２０８の動作を停止する。
【００４０】
オーバードライブ部２０９では、上述の通り、液晶の駆動電圧を立ち上がり時には高く、立ち下がり時には低くなるよう制御している。従って、オーバードライブ部２０９を動作させたまま印刷すると、前フレームから階調の変化の大きい部分の階調が持ち上げられ、不要なぎらつき感がでてしまう。よって、印刷時は画像処理部１０２はオーバードライブ部２０９の動作を停止する。
【００４１】
投影用補正処理部２１０の動作を停止した状態でＳ４１１では、印刷用の色空間として例えばＣＭＹＫ空間を制御部１０１の指示で色補正部２０４にロードする。
Ｓ４１２では、画像処理部１０２は台形補正部２０６とメモリバス２１４を介して接続されたフレームメモリ２１２から画像データを取得して通信部１０４に送り、通信部１０４から外部機器に画像データを送信する。
【００４２】
このとき、フレームメモリ２１２から読み出されて外部機器に送信される画像データには、色補正部２０４で印刷用の色空間を用いて色補正が施され、かつ、印刷時には画質を落とすことになる投影用補正処理部２１０での処理が施されていない。従って、本実施例によれば、印刷に適した高画質の画像データを外部機器に送信することができる。
【００４３】
一方、液晶表示素子１０６から投影される画像は、Ｓ４０９でフレームメモリ２１３の書き込みを停止した際のものである。よって、フレームメモリ２１３から読み出される画像データは、投影用補正処理部２１０による処理が施された画像データであるので、投影に適した画像である。
【００４４】
画像処理部１０２はＳ４１３で印刷が完了したか否か判断し、完了していなければＳ４１１に戻る。印刷が完了していれば、画像処理部１０２はＳ４１４に移行し、投影用の色空間として例えばｓＲＧＢやＡｄｏｂｅＲＧＢを制御部１０１の指示で色補正部２０４にロードする。
【００４５】
次に画像処理部１０２はＳ４１５で投影装置１０が図２に示すようなマルチ投影を行っているか否かを判別し、一台での投影であれば後述のＳ４１７に飛ぶ。マルチ投影であれば、画像処理部１０２はＳ４１６でエッジブレンド部２０５を作動させる。
【００４６】
Ｓ４１７では、画像処理部１０２はＳ４１０で停止させた投影用補正処理部２１０を再び作動させる。次に画像処理部１０２はＳ４１８でフレームメモリ２１３への書き込み動作を再開する。フレームメモリ２１３への書き込み動作は、例えば、フレーム毎にフレームメモリ２１３に記憶される画像データを更新することにより行われる。これにより、投
影画像のフリーズが解除されるとともに、投影に適した画像処理が行われた画像が投影される。
【００４７】
画像処理部１０２はＳ４１９で終了指示があるか否か判別し、指示がなければＳ４０２に戻り投影を継続する。終了指示があれば、画像処理部１０２はＳ４２２で動作を終了する。
本実施例では、印刷時にフレームメモリ２１３の書き込みを停止させ、投影用補正処理部２１０の処理を施した画像をフリーズして投影している。一方、通信部１０４へ送信する画像は、投影用補正処理部２１０の中でエッジブレンド部２０５、台形補正部２０６のみを経由している。
【００４８】
従って、上記Ｓ４１０の説明で投影用補正処理部２１０の動作を停止させる、としたが、最低減、エッジブレンド部２０５、台形補正部２０６のみを停止させればよい。
なお、図２に示した投影システムでは２台の投影装置を用いる例を示したが、台数はこれに限ったものではない。
【００４９】
また、投影装置１０で三次元（３Ｄ）画像を投影する場合、台形補正部２０６で左眼用画像と右眼用画像の間に視差を持たせ、印刷時には左眼用画像と右眼用画像の２枚の画像のうち一方を、フレームメモリ２１２から通信部１０４に転送すればよい。このとき、フレームメモリ２１３には左眼用画像と右眼用画像の２枚の画像データを格納して、３Ｄで観察可能な投影画像の状態でフリーズすると良い。
【００５０】
以上説明した通り、本実施例では、画像投影中に印刷指示があった場合、投影用補正処理部の動作をさせずに、投影用補正処理部における処理が施されていない画像データをフレームメモリから読み込んで印刷のために印刷機器へ送信する。
その際、印刷用の画像を格納したフレームメモリよりも後段に配置されたフレームメモリの更新を停止し、当該フレームメモリから読み込んだ画像データを用いて投影することで投影画像をフリーズさせる。
【００５１】
これにより、印刷用と投影用とで共通の信号処理部を用いて、印刷に適した画像を得られるとともに、投影画像の品質を維持することができる。また、印刷時にも画像の投影を継続できるので、会議、プレゼンテーション等用いられている場合、これらを中断せずに済む。
【００５２】
さらに、本実施例は印刷画像の送信に限ったものではなく、投影中の画像をファイル化して保存するなど、投影中の画像を外部機器に出力する種々の場合に適用できる。その場合、出力先の外部機器に適合する色空間を用いて色補正部２０４での色補正を行うようにする。
【００５３】
（実施例２）
本実施例における投影装置の構成は実施例１と同様であり、図１に示す通りである。また、投影装置を複数台用いる場合の構成は、図２に示す通りで実施例１と同様である。
本実施例では、図６に示す通り、フレームメモリ２１２と投影用補正処理部との接続態様が実施例１と異なる。
【００５４】
実施例１では台形補正部２０６で画像に対し形状変換処理を行った後の画像信号をフレームメモリ２１２に書き込む。これに対し、本実施例ではエッジブレンド部２０５の出力を一旦フレームメモリ２１２に書き込み、フレームメモリ２１２から読み出した画像データに対し台形補正部２０６で形状変換処理を施す点が異なる。マルチ投影を行わずエッジブレンド部２０５が停止している場合、フレームメモリ２１３には色補正部２０４の出力
する画像データが記憶されることになる。すなわち、この場合のフレームメモリ２１３は、本発明において色空間変換処理が行われた画像データを記憶する第１の記憶手段である。
【００５５】
本実施例の動作は図７のフローチャートに基づく。Ｓ７０１からＳ７０８の動作は実施例１のＳ４０１からＳ４０８の動作と同様なので、説明は省略する。
Ｓ７０９で画像処理部１０２は投影装置１０が図２に示すようなマルチ投影を行っているか否かを判別し、一台での投影を行っているのであれば後述のＳ７１２に進む。マルチ投影を行っているのであれば、画像処理部１０２はＳ７１０でフレームメモリ２１３の書き込み動作（更新）を停止する。これにより、マルチ投影時は更新停止直前にフレームメモリ２１３に格納された画像がフリーズした状態で投影される。
【００５６】
次にＳ７１１で画像処理部１０２はエッジブレンド部２０５の動作を停止する。Ｓ７１０で投影画像をフリーズしているのでエッジブレンド部２０５の動作停止は投影画像の重畳領域における輝度に影響しない。
次のＳ７１２からＳ７１６の動作は、実施例１のＳ４１１からＳ４１５の動作と同様なので、説明は省略する。
マルチ投影時はＳ７１７でエッジブレンド部２０５の動作を再開し、Ｓ７１８でフレームメモリ２１３の書き込み（更新）を再開する。
Ｓ７２０、Ｓ７２１の動作は、実施例１のＳ４２０、Ｓ４２１の動作と同様なので、説明は省略する。
【００５７】
本実施例では、マルチ投影時のエッジブレンド部２０５の動作の停止を除いて、印刷時に投影用補正処理部２１０の動作を停止しなくても、投影したまま、印刷に適した画像を得られる。なお、図６の構成において、実施例１と同様、投影装置１台での投影時に、投影用補正処理部２１０の動作を止め、フレームメモリ２１３の画像をフリーズして投影してもよい。
【００５８】
（実施例３）
本実施例における投影装置の構成は、図１に示す通りで実施例１、２と同様である。また、投影装置を複数台用いる場合の構成は、図２に示す通りで実施例１、２と同様である。
本実施例では、図８に示す通り、投影用補正処理部２１８に図３のオーバードライブ部２０９に相当する機能部を具備せず、これに伴い図３のフレームメモリ２１３に相当する機能部も具備しない点で実施例１、２と異なる。さらに、台形補正部２０６とガンマ補正部２０７の間にセレクタ２１７が具備されていて、セレクタ２１７ではパターン発生部２１６の出力と台形補正部２０６の出力のうち、一方を選択する点が実施例１、２と異なる。
【００５９】
本実施例のパターン発生部２１６では、所定の固定パターン画像、例えば全面黒色等の単一色の画像を発生させる。
また、本実施例では実施例１と同様、台形補正部２０６で画像信号に対し形状変換処理をしてからフレームメモリ２１２に書き込み、これを読み出して通信部に送る。
【００６０】
本実施例の動作は図９のフローチャートに基づく。
Ｓ９０１からＳ９０７の動作は実施例１のＳ４０１からＳ４０７の動作と同様なので、説明は省略する。
印刷時において、Ｓ９０８では、制御部１０１の指示により、セレクタ２１７がパターン発生部２１６の出力を選択する。
【００６１】
次にＳ９０９で画像処理部１０２は印刷用の色空間として例えばＣＭＹＫ空間を制御部１０１の指示で色補正部２０４にロードする。
Ｓ９１０で画像処理部１０２は投影装置１０が図２に示すようなマルチ投影を行っているか否かを判別し、一台での投影であれば後述のＳ９１２に進む。マルチ投影であれば、画像処理部１０２はＳ９１１でエッジブレンド部２０５の動作を停止させる。続いて、Ｓ９１２では画像処理部１０２は台形補正部２０６の動作を停止させる。
【００６２】
本実施例では、印刷時に全面単一色を投影するので、台形補正部２０６の動作を停止して投影画像が歪んでも何ら問題はない。
さらに、Ｓ９１３で画像処理部１０２はメニュー作成部２０２からのメニューを消去する。すなわち画像処理部１０２はメニュー作成部２０２にＧＵＩ画像の出力を停止させる。
【００６３】
Ｓ９１４では、画像処理部１０２は台形補正部２０６とメモリバス２１４を介して接続されたフレームメモリ２１２から画像データを読み出して通信部１０４へ送り、通信部１０４から外部機器に画像データを送信する。
Ｓ９１５からＳ９１８の動作は、実施例１のＳ４１３からＳ４１６の動作と同様なので、説明は省略する。
【００６４】
Ｓ９１９で画像処理部１０２は台形補正部２０６の動作を再開する。
Ｓ９２０で画像処理部１０２はセレクタ２１７で台形補正部２０６の出力を選択する。これにより、投影用補正処理を施した画像の投影が再開される。
Ｓ９２１からＳ９２４の動作は、実施例１のＳ４１９からＳ４２２と同様なので、説明は省略する。
【００６５】
本実施例では、投影用補正処理部２１０にフレームメモリが一個しかなくても、パターン発生部２１６を具備し、印刷時はパターン発生部２１６からの信号を投影することで、印刷時に印刷に適した画像が得られるとともに、投影画像の破綻を抑制できる。
【００６６】
（実施例４）
本実施例における投影装置の構成は、図１に示す通りで実施例１と同様である。また、投影装置を複数台用いる場合の構成は、図２に示す通りで実施例１と同様である。
本実施例では、図１０に示す通り、印刷用画像格納専用のフレームメモリ２１９を具備する点が実施例１と異なる。このフレームメモリ２１９は、色補正部２０４の出力する画像データを記憶するものであり、本発明の第１の記憶手段である。
また、本実施例では、実施例１と同様、台形補正部２０６で画像信号に対し形状変換処理を施してからフレームメモリ２１２に書き込み、これを読み出してガンマ補正部２０７に送る。
【００６７】
本実施例の動作は図１１のフローチャートに基づく。Ｓ１１０１からＳ１１０８の動作は、実施例１のＳ４０１からＳ４０８の動作と同様なので、説明は省略する。
Ｓ１１０９では、画像処理部１０２は印刷用の色空間として例えばＣＭＹＫ空間を制御部１０１の指示で色補正部２０４にロードする。
【００６８】
Ｓ１１１０では、画像処理部１０２は色補正部２０４とメモリバス２１４を介して接続されたフレームメモリ２１９から画像データを読み出して通信部１０４に送り、通信部１０４から外部機器に送信する。
Ｓ１１１１で画像処理部１０２は印刷が完了したか否か判断し、完了していなければＳ１１０９に戻る。印刷が完了していれば、画像処理部１０２はＳ１１１２に移行し、投影用の色空間として例えばｓＲＧＢやＡｄｏｂｅＲＧＢ空間を制御部１０１の指示で色補正
部２０４にロードする。
【００６９】
Ｓ１１１３からＳ１１１６の動作は、実施例１のＳ４１９からＳ４２２と同様なので、説明は省略する。
本実施例でも倍速変換処理は台形補正部２０６おこなう、従って、フレームメモリ２１９には正極性と負極性の画像うちどちらか一方しか格納されない。しかし、印刷用画像としては、どちらか一方があれば十分なので、何ら問題はない。
また、本実施例において、実施例１と同様に、印刷時には投影用補正処理部２１０の動作を停止し、かつ、フレームメモリ２１３の書き込み（更新）を停止しフリーズ画を投影してもよい。
【００７０】
以上説明した各実施例では、印刷機器への画像信号の出力機能を有するプロジェクタに本発明を適用した例を説明したが、本発明はプロジェクタに限らず液晶表示装置、テレビ装置等の種々の表示装置に適用できる。また、画像信号の出力先はプリンタ等の印刷機器に限らず、ハードディスクやメモリカード等の記憶装置であっても良い。その場合、画像信号は画像ファイルとして記憶装置へ出力される。また、実施例ではプロジェクタから外部機器であるプリンタへ通信部を介して画像信号を送信する構成を例に説明したが、プロジェクタ本体に印刷機能が搭載されていても良い。それは記憶装置へ出力する場合も同様である。例えば、プロジェクタ本体にメモリカードスロットを備え、投影中の画像をメモリカードスロットに挿入されたメモリカードに画像ファイルとして保存することができるプロジェクタに本発明を適用できる。同様に、印刷機能を有する液晶モニタ、表示中の画像をメモリカードに記録可能なテレビ装置等への適用も考えられる。
【符号の説明】
【００７１】
１０２：画像処理部、１０４：通信部、１０６：液晶表示素子
【図１】
2014142410.tif 000003
【図２】
2014142410.tif 000004
【図３】
2014142410.tif 000005
【図４】
2014142410.tif 000006
【図５】
2014142410.tif 000007
【図６】
2014142410.tif 000008
【図７】
2014142410.tif 000009
【図８】
2014142410.tif 000010
【図９】
2014142410.tif 000011
【図１０】
2014142410.tif 000012
【図１１】
2014142410.tif 000013
【図１２】
2014142410.tif 000014